(57)【要約】【課題】設計の自由度を向上させることができるメッシュパターン構造およびメッシュパターンを用いた電極を提供する。【解決手段】本実施形態に係るメッシュパターン構造は、導体線がメッシュ状に形成されたメッシュパターンが設けられるメッシュ領域内に、境界線でメッシュパターンが断線されて形成される複数の部分領域を備える。複数の部分領域のうち、少なくとも一つの部分領域における一部のメッシュパターンは、境界線での他の部分領域との間の断線による導電性の劣化を抑制するメッシュパターン形態を有する。【選択図】図３
2017027097.tif 000002
【特許請求の範囲】
【請求項１】
導体線がメッシュ状に形成されたメッシュパターンが設けられるメッシュ領域内に、境界線で前記メッシュパターンが断線されて形成される複数の部分領域を備え、
前記複数の部分領域のうち、少なくとも一つの部分領域における一部のメッシュパターンは、前記境界線での他の部分領域との間の断線による導電性の劣化を抑制するメッシュパターン形態を有する
ことを特徴とするメッシュパターン構造。
【請求項２】
前記一部のメッシュパターンは、
前記境界線で断線された領域を介して、前記他の部分領域のメッシュパターンと連続して形成され、前記境界線で切断された前記導体線の端部同士が接続されるメッシュパターン形態を有する
ことを特徴とする請求項１に記載のメッシュパターン構造。
【請求項３】
前記メッシュパターンは、
一定間隔を空けて平行に延伸する複数本の第１導体線と、一定間隔を空けて平行に延伸して前記第１導体線と交差する複数本の第２導体線とによって形成され、
前記第１導体線および前記第２導体線は、前記境界線で切断され、
前記一部のメッシュパターンは、
直近の第１導体線および第２導体線が第３導体線によって端部同士が接続されるメッシュパターン形態を有する
ことを特徴とする請求項２に記載のメッシュパターン構造。
【請求項４】
前記直近の第１導体線および第２導体線は、
直近の端部同士が前記第３導体線によって接続され、
前記第３導体線は、
前記直近の端部を結ぶ直線を軸として、前記直近の第１導体線および第２導体線の延長線の交差点と前記直近の端部とを結ぶＶ字形と線対称となる形状である
ことを特徴とする請求項３に記載のメッシュパターン構造。
【請求項５】
前記他の部分領域は、
前記直近の第１導体線および第２導体線の延長線の交差点と前記直近の端部とによって囲まれる領域に、前記第１導体線および前記第２導体線が存在しない空白領域を有する
ことを特徴とする請求項４に記載のメッシュパターン構造。
【請求項６】
前記一部のメッシュパターンは、
前記他の部分領域のメッシュパターンが連続して形成されたと仮定した場合のメッシュパターンに対して、所定方向にシフトしたメッシュパターン形態を有する
ことを特徴とする請求項１に記載のメッシュパターン構造。
【請求項７】
前記メッシュパターンは、
一定間隔を空けて平行に延伸する複数本の第１導体線と、一定間隔を空けて平行に延伸して前記第１導体線と交差する複数本の第２導体線とによって形成され、
前記第１導体線および前記第２導体線は、前記境界線で切断され、
前記一部のメッシュパターンは、
前記第１導体線および前記第２導体線の交差点数が最多となるまで、前記仮定した場合のメッシュパターンがシフトされたメッシュパターン形態を有する
ことを特徴とする請求項６に記載のメッシュパターン構造。
【請求項８】
前記一部のメッシュパターンは、
前記導体線のピッチが前記他の部分領域におけるメッシュパターンのピッチと同一であり、前記他の部分領域におけるメッシュパターンを構成する前記導体線の交差角度と同一の角度でジグザグ状に屈折したメッシュパターン形態を有する
ことを特徴とする請求項１に記載のメッシュパターン構造。
【請求項９】
導体線がメッシュ状に形成されたメッシュパターンが設けられるメッシュ領域内に、境界線で前記メッシュパターンが切断されて形成される複数の部分領域を備え、
前記複数の部分領域のうち、少なくとも一つの部分領域における一部のメッシュパターンは、前記境界線での他の部分領域との間の断線による導電性の劣化を抑制するメッシュパターン形態を有する
ことを特徴とするメッシュパターンを用いた電極。
【発明の詳細な説明】
【技術分野】
【０００１】
本発明は、メッシュパターン構造およびメッシュパターンを用いた電極に関する。
【背景技術】
【０００２】
従来、透明基板上に導体線をメッシュ状に形成したメッシュパターンを設け、メッシュパターンの中でメッシュ配線となる配線領域と、配線領域との境界線でメッシュパターンが断線された非配線領域とを備えるメッシュパターン構造がある。
【０００３】
例えば、特許文献１には、透明基板上に、金属細線のメッシュパターンによって形成された電極と、電極の周囲に電極から切断された金属細線のメッシュパターンによって形成されたダミーパターンとを備えるメッシュパターン構造が開示されている。
【０００４】
かかるメッシュパターン構造によれば、上面視においてメッシュパターンの格子が均一に配置されているように見えるため、メッシュパターンによって形成される電極とダミーパターンとの境界線を目立たなくすることができる。
【先行技術文献】
【特許文献】
【０００５】
【特許文献１】特開２０１５−１０６２４０号公報
【発明の概要】
【発明が解決しようとする課題】
【０００６】
しかしながら、メッシュパターンを電極の領域とダミーパターンの領域との境界線で単純に切断した従来のメッシュパターン構造は、メッシュ配線の外縁の設計によっては、メッシュ配線の導電性が劣化するため、設計の自由度を向上させることが困難であった。
【０００７】
本実施形態は、上記に鑑みてなされたものであって、設計の自由度を向上させることができるメッシュパターン構造およびメッシュパターンを用いた電極を提供することを目的とする。
【課題を解決するための手段】
【０００８】
上述した課題を解決し、目的を達成するために、本実施形態に係るメッシュパターン構造は、導体線がメッシュ状に形成されたメッシュパターンが設けられるメッシュ領域内に、境界線で前記メッシュパターンが断線されて形成される複数の部分領域を備える。前記複数の部分領域のうち、少なくとも一つの部分領域における一部のメッシュパターンは、前記境界線での他の部分領域との間の断線による導電性の劣化を抑制するメッシュパターン形態を有する。
【発明の効果】
【０００９】
本実施形態によれば、設計の自由度を向上させることができるメッシュパターン構造およびメッシュパターンを用いた電極を提供することができる。
【図面の簡単な説明】
【００１０】
【図１】図１は、実施形態に係るタッチパネルを示す分解斜視図である。
【図２】図２は、静電容量方式のタッチパネルに設けられるメッシュパターンの一例を示す説明図である。
【図３】図３は、実施形態に係るメッシュパターンを示す説明図である。
【図４】図４は、櫛歯部の微細化によって起こる導体線の断線の具体例１を示す説明図である。
【図５】図５は、断線を抑制した櫛歯部のメッシュパターン形態の具体例１を示す説明図である。
【図６】図６は、断線を抑制した櫛歯部のメッシュパターン形態の具体例２を示す説明図である。
【図７】図７は、断線を抑制した櫛歯部のメッシュパターン形態の具体例３を示す説明図である。
【図８】図８は、断線を抑制した櫛歯部のメッシュパターン形態の具体例４を示す説明図である。
【図９】図９は、櫛歯部の微細化によって起こる導体線の断線の具体例２を示す説明図である。
【図１０】図１０は、断線を抑制した櫛歯部のメッシュパターン形態の具体例５を示す説明図である。
【図１１】図１１は、メッシュパターンをシフトしない場合の櫛歯部を示す説明図である。
【図１２】図１２は、メッシュパターンをシフトした場合の櫛歯部を示す説明図である。
【図１３】図１３は、実施形態に係る境界線の変形例１を示す説明図である。
【図１４】図１４は、実施形態に係る境界線の変形例２を示す説明図である。
【発明を実施するための形態】
【００１１】
以下に、添付図面を参照して、実施形態に係るメッシュパターン構造およびメッシュパターンを用いた電極を詳細に説明する。なお、以下に示す実施形態によって本発明が限定されるものではない。
【００１２】
以下では、実施形態に係るメッシュパターン構造をタッチパネルに適用した場合を例に挙げて説明するが、実施形態に係るメッシュパターン構造は、タッチパネル以外にも適用することができる。
【００１３】
例えば、実施形態に係るメッシュパターン構造は、車両の窓ガラスなどに設けられるメッシュ状のアンテナ等のように、光透過性が要求される箇所に設けられ、導電材料によって形成されるメッシュ状の電子部品であれば、任意の電子部品に適用することができる。
【００１４】
図１は、実施形態に係るタッチパネル１を示す分解斜視図である。タッチパネル１は、例えば、カーナビゲーション装置、スマートフォン、タブレット型端末装置等の電子機器に搭載されて画像を表示し、ユーザが表示画面をタッチ操作した場合に、タッチ操作に応じた処理を搭載機器に実行させる表示操作装置として機能する。
【００１５】
タッチパネル１は、図１に示すように、表示装置１１、メッシュパターン１２、および透明基板１３が順次積層される構造である。表示装置１１は、例えば、液晶ディスプレイであり、動画、静止画、およびテキスト文書等といった任意の画像を表示する。透明基板１３は、例えば、アクリル板等の光透過性を備えた板体である。
【００１６】
メッシュパターン１２は、例えば、銅線等の導体線がメッシュ状に形成されたものである。かかるメッシュパターン１２は、所定のパターニングが施されており、ユーザによるタッチ操作位置を検知するための電極等として機能する。
【００１７】
本実施形態のタッチパネル１は、静電容量方式によってユーザによるタッチ操作位置を検知する。ここで、図２を参照し、静電容量方式のタッチパネルがユーザによるタッチ操作位置を検知する原理について説明する。
【００１８】
図２は、静電容量方式のタッチパネルに設けられるメッシュパターン１００の一例を示す説明図である。図２には、メッシュパターン１００の一部分を選択的に示している。図２に示すように、メッシュパターン１００は、複数本の導体線１０１がメッシュ状に形成されたものである。
【００１９】
かかるメッシュパターン１００が設けられるメッシュ領域内には、境界線でメッシュパターン１００が切断されて形成される複数の部分領域が設けられる。具体的には、メッシュ領域内には、送信電極として機能するメッシュ配線となる部分領域（以下、「配線領域」と記載する）１０２と、受信電極として機能するメッシュ配線となる部分領域（以下、「配線領域」と記載する）１０３とが設けられる。
【００２０】
なお、本実施例では、メッシュ領域内に、メッシュ配線となる配線領域１０２，１０３という２つの部分領域が設けられる場合を例に挙げるが、メッシュ配線となる部分領域は、１つでもよく３つ以上であってもよい。図２では、境界線１０５内のメッシュ配線が送信電極として機能する配線領域１０２であり、境界線１０６内のメッシュ配線が受信電極として機能する配線領域１０３である。
【００２１】
また、メッシュパターン１００が設けられるメッシュ領域内には、配線領域１０２，１０３との境界線１０５，１０６でメッシュパターン１００が切断されて形成される他の部分領域（以下、「非配線領域」と記載する）１０４が設けられる。
【００２２】
図２に示す例では、送信電極となる配線領域１０２および受信電極となる配線領域１０３は、いずれも外縁が櫛形となり、互いの櫛歯の部分が平面視交互に配置されるように、メッシュパターン１００が切断された状態となっている。
【００２３】
これにより、送信電極となる配線領域１０２および受信電極となる配線領域１０３の間に、配線領域１０２，１０３から切断されたメッシュパターン１００によって形成された非配線領域１０４が設けられる。
【００２４】
そして静電容量方式のタッチパネルでは、かかるメッシュパターン１００が表示装置と透明基板との間に挟設され、受信電極がグランドに接地され、送信電極にパルスが入力される。これにより、送信電極と受信電極とによって静電容量（キャパシタ）が形成され、キャパシタに電荷が蓄積されて送信電極と受信電極との間に電界が発生する。
【００２５】
そして、静電容量方式のタッチパネルでは、例えば、ユーザが指で透明基板における受信電極の櫛歯上の位置にタッチすると、送信電極と指との間にも電界が発生し、送信電極および受信電極間の電界が減少する。これに伴ってキャパシタに蓄積される電荷量が減少する。
【００２６】
このため、静電容量方式のタッチパネルは、メッシュパターン１００によって形成される複数のキャパシタに蓄積される各電荷量を監視し、電荷量が減少したキャパシタの位置をユーザによってタッチされたタッチ操作位置として検知することができる。
【００２７】
かかる静電容量方式のタッチパネルは、メッシュパターン１００が設けられるメッシュ領域内に、より多くの送信電極および受信電極がパターニングされるほど、タッチ操作位置の検知精度が向上する。
【００２８】
ただし、メッシュパターン１００は、送信電極や受信電極となる配線領域１０２，１０３の数が多くなると各配線領域１０２，１０３が微細化される。これにより、メッシュパターン１００は、配線領域１０２，１０３における櫛歯部に導体線１０１の断線が生じたり、導体線１０１の交差点数が減少したりして配線領域１０２，１０３の導電性が劣化する。
【００２９】
このように、静電容量方式のタッチパネルは、タッチ操作位置の検知精度を向上させるために、配線領域１０２，１０３が微細化されると、配線領域１０２，１０３の導電性が劣化するので、設計の自由度を向上させることが困難とされてきた。
【００３０】
そこで、本実施形態に係るメッシュパターン構造は、送信電極や受信電極となる配線領域の微細化された一部のメッシュパターンに、配線領域および非配線領域の境界線での非配線領域との間の断線による導電性の劣化を抑制するメッシュパターン形態を有する。
【００３１】
図３は、実施形態に係るメッシュパターン１２を示す説明図である。なお、図３には、メッシュパターン１２の一部分を選択的に示している。図３に示すように、メッシュパターン１２は、複数本の導体線２がメッシュ状に形成されたものである。
【００３２】
具体的には、メッシュパターン１２は、一定間隔を空けて平行に延伸する複数本の第１導体線２１と、一定間隔を空けて平行に延伸して第１導体線２１と交差する複数本の第２導体線２２とによって形成される。なお、導体線２（第１導体線２１および第２導体線２２）は、例えば、銅やアルミニウムなどの金属を用いて形成される。
【００３３】
そして、実施形態に係るメッシュパターン構造は、メッシュパターン１２が設けられるメッシュ領域内に、送信電極として機能するメッシュ配線となる配線領域３と、受信電極として機能するメッシュ配線となる配線領域４とを備える。なお、図３では、境界線６内のメッシュ配線が送信電極として機能する配線領域３であり、境界線７内のメッシュ配線が受信電極として機能する配線領域４である。
【００３４】
また、実施形態に係るメッシュパターン構造は、メッシュパターン１２が設けられるメッシュ領域内には、配線領域３，４との境界線６，７でメッシュパターン１２が切断されて形成される非配線領域５を備える。
【００３５】
図３に示す例では、送信電極となる配線領域３および受信電極となる配線領域４は、いずれも外縁が櫛形となり、互いの櫛歯の部分が平面視交互に配置されるように、メッシュパターン１２が切断された状態となっている。これにより、送信電極となる配線領域３および受信電極となる配線領域４の間には、配線領域３，４から切断されたメッシュパターン１２によって形成された非配線領域５が設けられる。
【００３６】
ここで、図３に示す配線領域３，４は、櫛歯部の幅が図２に示す配線領域１０２，１０３の櫛歯部よりも細く微細化されている。このため、単純な格子状のメッシュパターン１２を図３に点線で示す境界線６，７で切断して配線領域３，４を形成した場合、配線領域３，４における櫛歯部に導体線２の断線が生じたり、導体線２の交差点数が減少したりして配線領域３，４の導電性が劣化する。かかる櫛歯部の断線の具体例については、図４を参照して後述する。
【００３７】
そこで、本実施形態に係る配線領域３の一部（櫛歯部）のメッシュパターン１２は、境界線６で断線された領域を介して、非配線領域５のメッシュパターン１２と連続して形成され、境界線６で切断された導体線２の端部同士が接続されるメッシュパターン形態を有する。また、導体線２の端部同士は、導体線２と太さが同じ導体線によって接続される。
【００３８】
これにより、メッシュパターン１２では、配線領域３の櫛歯部に導体線２の断線がなくなるので、配線領域３を微細化しても配線領域３の導電性が劣化することを抑制することができ、設計の自由度を向上させることができる。
【００３９】
しかも、配線領域３は、櫛歯部内の第１導体線２１と第２導体線２２とが、境界線６で断線された領域を介して、非配線領域５のメッシュパターン１２と連続するメッシュパターン形態であるため、非配線領域５との区別がつき難くなり見栄えが向上する。なお、かかる櫛歯部のメッシュパターン形態の具体例については、図５〜図８を参照して後述する。
【００４０】
また、本実施形態に係る配線領域４の一部（櫛歯部）のメッシュパターン１２は、非配線領域５のメッシュパターン１２が連続して形成されたと仮定した場合のメッシュパターンに対して、所定方向にシフトしたメッシュパターン形態を有する。
【００４１】
これにより、配線領域４の櫛歯部内の導体線２は、メッシュパターン１２が境界線７で断線された領域を介して、非配線領域５のメッシュパターン１２と非連続となるが、導体線２の断線がなくなり、導体線２の交差点数が増大するので導電性が向上する。
【００４２】
しかも、配線領域４は、櫛歯部内の導体線２が、非配線領域５のメッシュパターン１２と同一のピッチ、および同一の交差角度となるメッシュパターン形態であるため、非配線領域５との区別がつき難くなり見栄えが向上する。なお、かかる櫛歯部のメッシュパターン形態の具体例については、図１１および図１２を参照して後述する。
【００４３】
なお、ここでは、配線領域３，４における櫛歯部のメッシュパターン形態が異なる場合を例に挙げて説明したが、図３に示す送信電極側の配線領域３における櫛歯部のメッシュパターン形態を、受信電極側の配線領域４における櫛歯部に適用してもよい。
【００４４】
また、図３に示す受信電極側の配線領域４における櫛歯部のメッシュパターン形態を、送信電極側の配線領域３における櫛歯部に適用してもよい。つまり、図３に示す配線領域３，４における櫛歯部の導電性劣化を抑制するメッシュパターン形態は、逆であってもよく、同じであってもよい。
【００４５】
また、以上の説明では配線領域３，４の、非配線領域５との境界部分に導電性劣化を抑制するメッシュパターンを適用することとしたが、異なる配線領域同士の境界部分に適用してもよい。
【００４６】
次に、図４〜図１０を参照し、櫛歯部の微細化によって起こる導体線の断線の具体例、および断線を抑制した実施形態に係る櫛歯部のメッシュパターン形態の具体例について説明する。図４は、櫛歯部の微細化によって起こる導体線の断線の具体例１を示す説明図である。図５〜図８は、それぞれ断線を抑制した実施形態に係る櫛歯部のメッシュパターン形態の具体例１〜４を示す説明図である。
【００４７】
また、図９は、櫛歯部の微細化によって起こる導体線の断線の具体例２を示す説明図である。図１０は、断線を抑制した櫛歯部のメッシュパターン形態の具体例５を示す説明図である。なお、図４〜図１０には、送信電極側の配線領域における１本の櫛歯部の近傍を選択的に示している。以下では、図３に示すメッシュパターン１２と対応する構成要素については、図３に示す符号と同一の符号を付して説明する。
【００４８】
図４に示すように、配線領域３は、櫛歯部３１の微細化が進むと、櫛歯部３１の幅が導体線２（第１導体線２１および第２導体線２２）によって形成される格子の対角線長よりも狭くなる場合がある。
【００４９】
かかる場合に、配線領域３と非配線領域５との境界線６で、単純にメッシュパターン１２を切断したようなパターンを設計すると、同図に示すように、櫛歯部３１内の導体線２に断線が生じることがある。
【００５０】
図４に示す配線領域３では、櫛歯部３１内に、それぞれ切断された６個の逆Ｖ字形状の導体線２が存在している。これでは、配線領域３へパルスを入力したとしても、櫛歯部３１は、パルスが入力されないので、送信電極として機能することができない。
【００５１】
そこで、本実施形態では、メッシュパターン構造は、櫛歯部３１の中で、境界線６の部分で切断された導体線２の端部同士が接続されるパターン形態を備える。例えば、図５に示す具体例１のメッシュパターン形態のように、櫛歯部３１内の切断された導体線２同士の端部同士を、配線領域３と非配線領域５との境界線６に沿って、第３導体線２３によって接続する。
【００５２】
第３導体線２３は、第１導体線２１および第２導体線２２と同一の太さの同一材料によって形成される。これにより、櫛歯部３１内の第１導体線２１および第２導体線２２は、全て第３導体線２３によって接続されるので導電性が向上する。したがって、具体例１に係るメッシュパターン形態によれば、配線領域３のパターンが微細化されても、パターン設計の自由度を向上させることができる。
【００５３】
また、櫛歯部３１内の導体線２の導電性向上に加え、配線領域３の見栄えを向上させる場合には、具体例２のメッシュパターン形態が効果的である。具体的には、図６に示すように、具体例２に係るメッシュパターン形態は、櫛歯部３１内で、直近の第１導体線２１および第２導体線２２が第３導体線２４によって端部同士が接続される。
【００５４】
具体例２のメッシュパターン形態では、櫛歯部３１内で第３導体線２４が無ければ切断状態となる直近の第１導体線２１と第２導体線２２とを最短長の第３導体線２４によって接続する。
【００５５】
これにより、具体例２のメッシュパターン形態では、櫛歯部３１の中で、第１導体線２１の延伸方向または第２導体線２２の延伸方向とは延伸方向が異なる第３導体線２４が占める領域を最小限に抑えることができる。
【００５６】
かかる具体例２のメッシュパターン形態は、メッシュパターン１２全体の見た目として、第３導体線２４が見え難く、配線領域３と非配線領域５との境界線６が目立たなくなり、櫛歯部３１内の導電性および配線領域３の見栄えを向上させることができる。
【００５７】
また、配線領域３の見栄えを向上させるメッシュパターン形態は、図６に示すものに限るものではなく、例えば、図７に示す具体例３のメッシュパターン形態であってもよい。図７に示すように、具体例３のメッシュパターン形態は、櫛歯部３１内で、直近の第１導体線２１および第２導体線２２を接続する第３導体線２５の形状が、図６に示す第３導体線２４とは異なる。
【００５８】
第３導体線２５は、櫛歯部３１内で交差点による接続点が無い直近の第１導体線２１および第２導体線２２の端部のうち、直近の端部を結ぶ直線を軸として、直近の第１導体線２１および第２導体線２２の延長線の交差点と直近の端部とを結ぶＶ字形と線対称となる形状である。なお、第３導体線２５は、第１導体線２１および第２導体線２２と同一の太さの同一材料によって形成される。
【００５９】
かかる第３導体線２５は、線幅および延伸方向が第１導体線２１と同一の部位と、線幅および延伸方向が第２導体線２２と同一の部位とが、第１導体線２１および第２導体線２２の為す角度と同一角度で連続したＶ字形状である。
【００６０】
このように、具体例３のメッシュパターン形態では、第３導体線２５の各部位、第１導体線２１、および第２導体線２２の延伸方向が、第１導体線２１の延伸方向または第２導体線２２の延伸方向の２種類に統一される。
【００６１】
したがって、具体例３のメッシュパターン形態によれば、第３導体線２５が見え難く、配線領域３と非配線領域５との境界線６が目立たなくなり、櫛歯部３１内の導電性および配線領域３の見栄えを向上させることができる。
【００６２】
また、具体例３のメッシュパターン形態は、図８に示す具体例４のメッシュパターン形態のように、第３導体線２５近傍の非配線領域５の形状を改良すれば、配線領域３の見栄えをさらに向上させることができる。
【００６３】
図８に示すように、具体例４のメッシュパターン形態の非配線領域５は、第３導体線２５近傍に、第１導体線２１および第２導体線２２が存在しない空白領域２６を備える。具体的には、非配線領域５は、櫛歯部３１内で直近の第１導体線２１および第２導体線２２の延長線の交差点と、直近の第１導体線２１および第２導体線２２の直近の端部とによって囲まれる仮想線による三角形の領域が空白領域２６となっている。
【００６４】
つまり、具体例４のメッシュパターン形態は、図４に示すメッシュパターン１２に、具体例３の第３導体線２５を付加し、非配線領域５の中で第３導体線２５近傍の領域から、第３導体線２５と同一形状となる部分の導体線２を削除したものである。
【００６５】
これにより、具体例４のメッシュパターン形態は、図４に示すメッシュパターン１２に、第３導体線２５を付加したことによる視覚的な影響を低減することにより、第３導体線２５がより見え難くなるので、配線領域３の見栄えをさらに向上させることができる。
【００６６】
また、図９に示すように、櫛歯部３１の短手方向の幅ｄが、導体線２によって形成される格子の対角線長Ｄよりも短く、対角線長Ｄの半分よりも大きい場合に、櫛歯部３１内の導体線２に断線が生じることがある。
【００６７】
図９に示す配線領域３では、櫛歯部３１内に、それぞれ切断された６個の略Ｘ字形状の導体線２が存在している。これでは、配線領域３へパルスを入力したとしても、櫛歯部３１は、パルスが入力されないので、送信電極として機能することができない。
【００６８】
かかる場合には、図１０に示す具体例５のメッシュパターン形態のように、ジグザグ状に屈折したメッシュパターン形態の導体線を櫛歯部３１内に設ける。ジグザグ状に屈折した導体線を設ける場合には、導体線の線幅を櫛歯部３１以外の配線領域３および非配線領域５の導体線２の線幅とし、導体線のピッチｐを櫛歯部３１以外の配線領域３および非配線領域におけるメッシュパターンのピッチと同一のピッチｐとする。
【００６９】
さらに、櫛歯部３１内に設ける導体線は、櫛歯部３１以外の配線領域３および非配線領域５におけるメッシュパターンを構成する導体線２の交差角度Ａと同一の角度Ａでジグザグ状に屈折させる。なお、櫛歯部３１の基端部では、導体線を延長して櫛歯部３１以外の配線領域３における導体線２と接続させる。
【００７０】
これにより、櫛歯部３１における光の透過率と、櫛歯部３１以外の配線領域３および非配線領域５における光の透過率とを略同一にすることができるので、配線領域３と非配線領域５との境界線６が目立たなくなり、櫛歯部３１内の導電性および配線領域３の見栄えを向上させることができる。
【００７１】
次に、図１１および図１２を参照し、櫛歯部内のメッシュパターン１２をシフトする場合の具体例について説明する。図１１は、メッシュパターン１２をシフトしない場合の櫛歯部を示す説明図であり、図１２は、メッシュパターン１２をシフトした場合の櫛歯部を示す説明図である。なお、ここでは、図３に示すメッシュパターン１２と対応する構成要素については、図３に示す符号と同一の符号を付して説明する。
【００７２】
図１１に示すように、受信電極側の配線領域４と非配線領域５との境界線７の部分で、単純にメッシュパターン１２を切断すると、配線領域４の櫛歯部４１内のメッシュパターン１２は、非配線領域５のメッシュパターン１２と境界線７を介して連続する。
【００７３】
かかる場合、櫛歯部４１内の導体線２には、導電性に改善の余地が生じることがある。例えば、図１１に示す櫛歯部４１内には、第１導体線２１および第２導体線２２の交差点Ｐが１８点あるが、櫛歯部４１の外縁となる境界線７近傍の交差点Ｐと境界線７との間には、まだ余白部分がある。
【００７４】
そこで、本実施形態では、櫛歯部４１内のメッシュパターン１２をシフト、つまり、メッシュパターン１２の線幅、ピッチ、および導体線２の交差角度を維持したまま、所定方向へ移動させることによって、交差点Ｐの数を増大させる。
【００７５】
例えば、図１１に示す櫛歯部４１内のメッシュパターン１２を、櫛歯部４１の幅方向（短手方向）へシフトさせる。これにより、櫛歯部４１内の交差点Ｐは、図１２に示すように、２４点となり、６点増加するので、導電性が向上する。
【００７６】
しかも、櫛歯部４１内のシフトされたメッシュパターン１２は、メッシュパターン１２の線幅、ピッチ、および導体線２の交差角度がシフト前と同一であるため、非配線領域５との区別がつき難く、見栄えが損なわれ難い。
【００７７】
このように、実施形態に係る櫛歯部４１内のメッシュパターン１２は、非配線領域５のメッシュパターン１２が連続して形成されたと仮定した場合のメッシュパターン１２（図１１参照）に対して、所定方向にシフトしたメッシュパターン形態（図１２参照）を有する。
【００７８】
かかるメッシュパターン形態によれば、櫛歯部４１内のメッシュパターン１２の見栄えを損なうことなく、導電性を向上させることができる。櫛歯部４１内のメッシュパターン１２をシフトさせる場合には、第１導体線２１および第２導体線２２の交差点Ｐの数が最多となるまで、メッシュパターン１２がシフトされることが望ましい。
【００７９】
なお、ここまで、配線領域における一部（櫛歯部）内のメッシュパターン形態を変更して、櫛歯部内の導電性の向上および櫛歯部の見栄えの向上を図る場合について説明したが、メッシュパターン形態を変更せず、櫛歯部と非配線領域との境界線を変更してもよい。
【００８０】
次に、図１３および図１４を参照し、実施形態に係る櫛歯部および非配線領域の境界線の変形例について説明する。図１３は、実施形態に係る境界線の変形例１を示す説明図であり、図１４は、実施形態に係る境界線の変形例２を示す説明図である。
【００８１】
なお、ここでは、図３に示すメッシュパターン１２と対応する構成要素については、図３に示す符号と同一の符号を付して説明する。図１３に示すように、変形例１に係る送信電極側の配線領域３ａと非配線領域５ａとの境界線６ａは、櫛歯部３１ａの部分の形状が図３に示す境界線６とは異なる。また、変形例１に係る受信電極側の配線領域４ａと非配線領域５ａとの境界線７ａは、櫛歯部４１ａの部分の形状が図３に示す境界線７とは異なる。
【００８２】
具体的には、櫛歯部３１ａにおける長手側の対向する境界線６ａのうち、一方の境界線６ａが、図３に示す対応する位置の境界線６に比べて、非配線領域５ａ側へせり出した形状となっている。同様に、櫛歯部４１ａにおける長手側の対向する境界線７ａのうち、一方の境界線７ａが、図３に示す対応する位置の境界線７に比べて、非配線領域５ａ側へせり出した形状となっている。
【００８３】
これにより、変形例１の櫛歯部３１ａ，４１ａは、図３に示す櫛歯部よりも面積が大きくなり、内包する導体線２の交差点数が増加するので、導電性が向上する。しかも、配線領域３ａ，４ａおよび非配線領域５ａのメッシュパターン１２は、導体線２の太さ、ピッチ、および交差角度が同一であるため、境界線６ａ，７ａを介して連続する。したがって、変形例１によれば、配線領域３ａ，４ａは、非配線領域５ａとの境界線６ａ，７ａが目立ち難く、見栄えの劣化を抑制することができる。
【００８４】
また、図１４に示すように、変形例２に係る送信電極側の配線領域３ｂと非配線領域５ｂとの境界線６ｂは、櫛歯部３１ｂの部分が鋸歯状となっている。同様に、変形例２に係る受信電極側の配線領域４ｂと非配線領域５ｂとの境界線７ｂは、櫛歯部４１ｂの部分が鋸歯状となる。
【００８５】
かかる変形例２によれば、櫛歯部３１ｂ，４１ｂは、先端部から基端部へ向かうにつれて面積が大きくなるので、図３に示すものに比べて基端部に内包される導体線２の交差点数が増加して導電性が向上する。
【００８６】
しかも、変形例２では、変形例１と同様に、配線領域３ｂ，４ｂおよび非配線領域５ｂのメッシュパターン１２は、導体線２の太さ、ピッチ、および交差角度が同一であるため、境界線６ｂ，７ｂを介して連続する。したがって、変形例２によれば、配線領域３ｂ，４ｂは、非配線領域５ｂとの境界線６ｂ，７ｂが目立ち難く、見栄えの劣化を抑制することができる。
【符号の説明】
【００８７】
１  タッチパネル
２，１０１  導体線
３，３ａ，３ｂ，４，４ａ，４ｂ，１０２，１０３  配線領域
５，５ａ，５ｂ，１０４  非配線領域
６，６ａ，６ｂ，７，７ａ，７ｂ，１０５，１０６  境界線
１１  表示装置
１２，１００  メッシュパターン
１３  透明基板
２１  第１導体線
２２  第２導体線
２３，２４，２５  第３導体線
２６  空白領域
３１，３１ａ，３１ｂ，４１，４１ａ，４１ｂ  櫛歯部
Ｐ  交差点
【図１】
2017027097.tif 000003
【図２】
2017027097.tif 000004
【図３】
2017027097.tif 000005
【図４】
2017027097.tif 000006
【図５】
2017027097.tif 000007
【図６】
2017027097.tif 000008
【図７】
2017027097.tif 000009
【図８】
2017027097.tif 000010
【図９】
2017027097.tif 000011
【図１０】
2017027097.tif 000012
【図１１】
2017027097.tif 000013
【図１２】
2017027097.tif 000014
【図１３】
2017027097.tif 000015
【図１４】
2017027097.tif 000016